(57)【要約】      （修正有）【課題】ネットワークカメラを設置板金に固定する際の設置作業を容易化する。【解決手段】撮像装置の本体１１０は、設置板金２１０に取り付けられる。設置板金２１０には係止凸部２１０ａが設けられ、本体１１０には係止穴１１２ｂが設けられる。本体１１０と設置板金２１０とを連結するストラップ３００の一端は設置板金２１０に形成されたスリットに、他端は本体１１０のストラップ固定穴１１２ｆに固定される。ストラップ３００の長さは、係止凸部２１０ａを係止穴１１２ｂに挿入しようとしたときのスリットと係止穴１１２ｂとの距離に略等しい。係止凸部２１０ａを係止穴１１２ｂに係合させ、さらに係止凸部２１０ａと対向する位置に別設されたもう一つの係止凸部と、本体１１０の係止穴１１２ｂと対向する位置に別設されたもう一つの係止穴とを係合させると、設置板金２１０に本体１１０が保持される。【選択図】図９
2019148634.tif 000002
【特許請求の範囲】
【請求項１】
設置面に対し、設置板金を介して設置する撮像装置であり、前記撮像装置は撮像部と、前記撮像部を収納する本体と、前記設置板金と前記本体をつなぐストラップからなり、前記設置板金と、前記本体のどちらか一方は少なくとも一つの係止凸部、他方は少なくとも一つの第１の掛かり部を有し、前記設置板金は、弾性係止爪と、スリットを有し、前記本体は、第２の掛かり部と、ストラップ固定穴を有し、前記ストラップ固定穴は、前記係止凸部、もしくは前記第１の掛かり部の近傍に形成され、前記ストラップの長さは、前記係止凸部、もしくは前記第１の掛かり部と前記スリットの距離と等しく、前記係止凸部と前記第１の掛かり部、更に前記弾性係止爪と前記第２の掛かり部が係止することで、前記設置板金に前記本体が保持されることを特徴とする撮像装置。
【請求項２】
前記第２の掛かり部は、前記弾性係止爪により、前記第１の掛かり部が前記係止凸部と当接する方向に付勢されることを特徴とする、請求項１に記載の撮像装置。
【請求項３】
前記ストラップは、前記係止凸部によって固定されることを特徴とする、請求項１または請求項２に記載の撮像装置。
【請求項４】
前記係止凸部は、段付き螺子であることを特徴とする、請求項１乃至請求項３のいずれか１項に記載の撮像装置。
【発明の詳細な説明】
【技術分野】
【０００１】
本発明は、周辺環境を監視及び撮影する目的で、建造物の天井や壁面に設置される撮像装置に関するものである。
【背景技術】
【０００２】
監視・撮影を目的とした撮像装置には、画像を遠隔的にモニタリングできるネットワークカメラがある。ネットワークカメラを天井や壁面等の設置面に固定する手段として、設置面に設置板金を固定し、その設置板金に対してカメラ本体を螺子等の締結手段で固定する、といった手段がある。この設置作業は、カメラ本体が設置板金に簡易的に保持される構成でないと、設置作業者はカメラ本体を片手で保持しながら、螺子等を締結することになり、高所作業を行う設置作業者にとっては、前述した締結作業が両手を自由に使える状態で行えるように、カメラ本体は設置板金に簡易的に保持される構成であることが望ましい。
【０００３】
このような背景から、公知の形態や特許文献１のように、係止爪によって、カメラ本体が設置板金に簡易的に保持される手段が提案されている。
【先行技術文献】
【特許文献】
【０００４】
【特許文献１】特許第５０３３１４９号
【発明の概要】
【発明が解決しようとする課題】
【０００５】
上記公知の形態の係止手段は、カメラ本体に具備された複数の弾性係止爪が、設置板金に形成された複数の掛かり部に係止する、といった手段である。弾性係止爪は、掛かり部に押し込まれると、反力を維持しながら外側に広がることにより掛かり部を受け入れ、その後、反力が開放されることによって、掛かり部に係止する。こうしてカメラ本体が設置板金に仮保持されるため、設置板金に対してネットワークカメラを螺子等の締結手段で固定する作業は、両手を自由に使える状態で行うことが可能となる。
【０００６】
しかしながら、上記手段を用いると、複数の弾性係止爪を同時に掛かり部に挿入する必要があるため、カメラ本体を設置面に対して傾斜させることができない。そのため、弾性係止爪と掛かり部の位置を目視で確認できず位置が合わせ難い。
【０００７】
特許文献１の請求項は、前述した背景を鑑みたものではないが、実施例に記載のある係止手段は、前述した課題を解決するものである。その手段は、設置板金に大径部分と小径部分が連続的につながった取付け穴が形成され、カメラ本体には取付け螺子が締結される、といった手段である。取付け穴の大径部分は、取付け螺子の頭部よりも大きく設定されており、小径部分は、取付け螺子の頭部よりも小さく、かつ取付け螺子の軸部よりも大きく設定されている。これにより、取付け螺子を取付け穴の大径部分に差し込んだ後、カメラ本体を回転させて、取付け螺子を取付け穴の小径部分に移動させると、取付け螺子が取付け穴から抜けなくなる。こうしてカメラ本体が設置板金に仮保持されるため、設置板金に対してネットワークカメラを螺子等の締結手段で固定する設置作業は、両手を自由に使える状態で行うことが可能となる。
【０００８】
しかしながら、特許文献１に開示された手段を用いると、図１８に示すように、設置面８２０に配線穴８２０ａを開ける際は、カメラ本体８００を図中K方向に回転させるため、本体８００に形成された配線引出口８０１や配線８１０の回転軌道を考慮する必要がある。そのため、配線穴８２０ａが大きくなってしまう。
【課題を解決するための手段】
【０００９】
本発明は、上記課題を鑑みたものであり、設置面に対し、設置板金を介して設置する撮像装置であり、前記撮像装置は撮像部と、前記撮像部を収納する本体と、前記設置板金と前記本体をつなぐストラップからなり、前記設置板金と、前記本体のどちらか一方は少なくとも一つの係止凸部、他方は少なくとも一つの第１の掛かり部を有し、前記設置板金は、弾性係止爪と、スリットを有し、前記本体は、第２の掛かり部と、ストラップ固定穴を有し、前記ストラップ固定穴は、前記係止凸部、もしくは前記第１の掛かり部の近傍に形成され、前記ストラップの長さは、前記係止凸部、もしくは前記第１の掛かり部と前記スリットの距離と略等しく、前記係止凸部と前記第１の掛かり部、更に前記弾性係止爪と前記第２の掛かり部が係止することで、前記設置板金に前記本体が保持されることを特徴とする、撮像装置を提供する。
【発明の効果】
【００１０】
本発明によれば、係止凸部と弾性係止爪を別動作で掛かり部に挿入できるため、カメラ本体を設置面に対して傾斜させることが可能となり、係止凸部と第１の掛かり部の位置を目視で確認することが可能になる。更にストラップが位置ガイドとして機能するため、係止凸部と第１の掛かり部の位置合わせを容易に行うことが可能になる。また、係止凸部が第１の掛かり部に、更に弾性係止爪が第２の掛かり部に係止することで、カメラ本体が設置板金に仮保持されるため、設置板金に対してネットワークカメラを螺子等の締結手段で固定する設置作業は、両手を自由に使える状態で行うことが可能となる。また、設置板金に対してカメラ本体を回転させる必要がないため、設置面の配線穴を大きくする必要がない、といった効果を得ることができる。
【図面の簡単な説明】
【００１１】
【図１】実施例１に記載の撮像装置の説明図
【図２】実施例１に記載の設置板金ユニットの説明図
【図３】実施例１に記載のストラップの説明図
【図４】実施例１に記載のボトムケース底面の説明図
【図５】実施例１に記載の設置板金ユニット固定作業の説明図
【図６】実施例１に記載のストラップ固定作業の説明図
【図７】実施例１に記載のストラップ引掛け作業の説明図
【図８】実施例１に記載の本体の落下防止の説明図
【図９】実施例１に記載の係止凸部を係止穴に挿入する作業の説明図
【図１０】実施例１に記載の係止凸部を第１の掛かり部に引掛ける作業の説明図
【図１１】実施例１に記載の弾性係止爪を第２の掛かり部に挿入する作業の説明図
【図１２】実施例１に記載の配線穴の説明図
【図１３】実施例２に記載の設置板金ユニットの説明図
【図１４】実施例２に記載のボトムケース底面の説明図
【図１５】実施例２に記載のストラップ固定作業の説明図
【図１６】実施例２に記載の段付き螺子を第１の掛かり部に挿入する作業の説明図
【図１７】実施例２に記載の段付き螺子を第１の掛かり部に引掛ける作業の説明図
【図１８】特許文献１に開示された手段を用いた際の配線穴の説明図
【発明を実施するための形態】
【００１２】
［実施例１］
以下、本発明を適用した撮像装置について説明する。本発明に直接関係のないプリント基板やケーブル、部品についての説明は割愛し、不図示とする。尚、説明の流れの観点から、以下の２項目に分けて説明する。
（１）撮像装置の構成に関する説明
（２）撮像装置の設置作業に関する説明
（１）撮像装置の構成に関する説明
図１は、撮像装置の分解斜視図である。撮像装置１００は、天井若しくは壁面に固定される設置板金ユニット２００と、撮像部１２０と、撮像部１２０を内包する本体１１０と、設置板金ユニット２００と本体１１０をつなぐストラップ３００で構成される。本体１１０は、撮像部１２０と、撮像部１２０を固定するボトムケース１１２と、ボトムケース１１２に締結され、撮像部１２０を保護するトップケース１１１で構成される。ボトムケース１１２に形成された貫通穴１１２ａに螺子１１３を挿通させることで、撮像装置１００を設置板金ユニット２００に固定する。
【００１３】
図２は、設置板金ユニットの説明図である。設置板金ユニット２００は、設置板金２１０と、弾性係止爪２２０と、設置板金２１０と弾性係止爪２２０を固定する螺子２３０で構成されている。尚、本実施例では、設置板金と弾性係止爪は別部品として説明しているが、設置板金と弾性係止爪は一体の部品としても良い。
【００１４】
また、設置板金２１０には不図示の前記本体１１０を係止する係止凸部２１０ａと、不図示の前記ストラップ３００を引掛けるスリット２１０ｂが形成されている。ここで、係止凸部２１０ａからスリット２１０ｂまでの距離をＬ１と定義する。
【００１５】
図３は、ストラップの説明図である。ストラップ３００は一端にループ端３００ａを形成しており、他端に貫通穴３００ｂを形成している。ループ端３００ａの端から貫通穴３００ｂの円中心までの長さをＬ２と定義する。Ｌ２は、前述した距離Ｌ１と略等しくなるように構成されている。
【００１６】
図４は、ボトムケース底面の説明図である。図４（ａ）に示すように、ボトムケース１１２の底面には、係止穴１１２ｂと、係止穴１１２ｄが形成されている。また、係止穴１１２ｂの近傍には、不図示の前記ストラップ３００を固定するストラップ固定穴１１２ｆが形成されている。図４（ｂ）は、係止穴１１２ｂの断面図を示す。係止穴１１２ｂには、不図示の前記設置板金２１０の係止凸部２１０ａが掛かる第１の掛かり部１１２ｃが形成されている。図４（ｃ）は、係止穴１１２ｄの断面図を示す。係止穴１１２ｄには、不図示の前記設置板金ユニット２００の弾性係止爪２２０が掛かる第２の掛かり部１１２ｅが形成されている。
【００１７】
（２）撮像装置の設置作業に関する説明
図５は、設置板金ユニット固定作業の説明図である。設置板金ユニット２００は、天井や壁面等の設置面に予め具備された不図示の螺子穴に対して、設置板金２１０に形成された貫通穴２１０ｃが一致するように、設置板金ユニット２００の位置を合わせて、螺子２４０を挿通させて設置面に固定する。
【００１８】
図６は、ストラップ固定作業の説明図である。螺子３１０を、ボトムケース１１２に形成されたストラップ固定穴１１２ｆと、ストラップ３００に形成された貫通穴３００ｂに挿通させることにより、ストラップ３００は本体１１０に固定される。尚、本実施例では、ストラップの固定手段を螺子として説明しているが、固定手段は螺子以外の手段としても良い。
【００１９】
図７は、ストラップ引掛け作業の説明図である。ストラップの引掛け作業は、撮像装置の落下を防止するために実施するものである。図７（ａ）は、作業開始時の図である。ストラップ３００に形成されたループ端３００ａを、設置板金２１０に対して図中Ｈ方向に移動させる。図７（ｂ）に示すように、移動後はループ端３００ａを図中Ｒ方向に回転させ、図７（ｃ）に示すように、ループ端３００ａをスリット２１０ｂに引掛ける。
【００２０】
図８は、ストラップ引掛け作業後の撮像装置の説明図である。ストラップ３００を設置板金ユニット２００に引掛けることで、配線等の設置作業を行う際等に、本体１１０が設置板金ユニット２００から落下することを防止する。
【００２１】
以下、第１の掛かり部の断面図を用いて、図９、図１０を説明する。図９は、係止凸部を係止穴に挿入する作業を説明する図である。ボトムケース１１２に形成された係止穴１１２ｂの位相と、設置板金２１０に形成された係止凸部２１０ａの位相が合うように、本体１１０を移動させる。その際に、ストラップ３００を弛むことなく伸ばし、ストラップ３００を固定しているストラップ固定穴１１２ｆを中心に、図中Ｄ方向に本体１１０を傾斜させると、係止穴１１２ｂと係止凸部２１０ａを目視で確認をすることが可能になるので、容易に位相を合わせることができる。また、前述したようにＬ１とＬ２は略等しい長さのため、本体１１０を設置面に対して略垂直方向に移動させるだけで、係止凸部２１０ａを係止穴１１２ｂに挿入可能となる。
【００２２】
図１０は、係止凸部を第１の掛かり部に引掛ける作業を説明する図である。本体１１０を図中Ｖ方向に移動させ、係止凸部２１０ａを係止穴１１２ｂに挿入し、係止凸部２１０ａの先端を、係止穴１１２ｂの第１の掛かり部１１２ｃに引掛けることで、本体１１０を設置板金ユニット２００に係止する。
【００２３】
以下、第１の掛かり部と、第２の掛かり部の断面図を用いて、図１１を説明する。図１１は、弾性係止爪を第２の掛かり部に挿入する作業の説明図である。図１１（ａ）に示すように、第１の掛かり部１１２ｃに引掛けた係止凸部２１０ａ先端の図中Ｐ１を中心として、本体１１０を図中Ｐ２方向に回転させることで、設置板金２１０に具備された弾性係止爪２２０を、ボトムケース１１２に形成された係止穴１１２ｄに挿入する。図１１（ｂ）に示すように、本体１１０を図中Ｇ方向に押し込むと、弾性係止爪２２０は反力を維持しながら図中Ｓ１方向に広がることにより、係止穴１１２ｄの第２の掛かり部１１２ｅを受け入れ、その後、図１１（ｃ）に示すように、弾性係止爪２２０は、反力によって図中Ｓ２方向に戻るので、第２の掛かり部１１２ｅに係止する。
【００２４】
この時、弾性係止爪２２０にある程度の反力が図中Ｆ方向に残るように、第２の掛かり部１１２ｅは弾性係止爪２２０を変形させる位置関係であれば、第２の掛り部１１２ｅは図中Ｆ方向に付勢される。それにより、第１の掛かり部１１２ｃは図中Ｆ方向に付勢されるので、係止凸部２１０ａと当接部図中Ｊで常に当接する。そのため、係止凸部２１０ａの先端は、第１の掛かり部１１２ｃから抜けることがない。こうして、意図的な外力が加わらない限り、本体１１０が設置板金ユニット２００から落下することを防止する。
【００２５】
以上述べたように、本発明によれば、本発明によれば、係止凸部と弾性係止爪を別動作で掛かり部に挿入できるため、カメラ本体を設置面に対して傾斜させることが可能となり、係止凸部と第１の掛かり部を目視で確認することが可能になる。更にストラップが位置ガイドとして機能するため、係止凸部と第１の掛かり部の位置合わせを容易に行うことが可能になる。また、係止凸部が第１の掛かり部に、更に弾性係止爪が第２の掛かり部に係止することで、カメラ本体が設置板金に仮保持されるため、設置板金に対してネットワークカメラを螺子等の締結手段で固定する設置作業は、両手を自由に使える状態で行うことが可能となる。
【００２６】
図１２は、設置面に開ける配線穴の説明図である。図１２（ａ）は、仮保持の際に本体を設置面に対して回転させる場合の配線穴を示す。本体１１０を設置面１５０に対して、図中Ｅ方向に回転させる場合は、本体１１０に形成された配線引出口１３０、及び配線１４０の回転軌道を考慮して、設置面１５０に配線穴１５０ａを開ける。図１２（ｂ）は、仮保持の際に本体を設置面に対して回転させない場合の配線穴を示す。本体１１０を設置面１６０に対して回転させない場合は、本体１１０に形成された配線引出口１３０、及び配線１４０の回転軌道を考慮せずに、設置面１６０に配線穴１６０ａを開ける。
【００２７】
そのため、配線穴１６０ａは配線穴１５０ａよりも小さくなる。よって、仮保持の際に設置面に対して本体を回転させる必要がない本発明によれば、設置面の配線穴を小さくできる、といった効果を得ることができる。
【００２８】
［実施例２］
本実施例では、実施例１記載の係止手段を、本体に係止凸部を具備し、設置板金に第１の掛かり部を形成した場合の実施例について説明する。本発明に直接関係のないプリント基板やケーブル、部品についての説明は割愛し、不図示とする。尚、説明の流れの観点から、以下の２項目に分けて説明する。
（１）撮像装置の構成に関する説明
（２）撮像装置の設置作業に関する説明
（１）撮像装置の構成に関する説明
撮像装置全体の説明は、実施例１と重複するため割愛する。
【００２９】
図１３は、設置板金ユニットの説明図である。設置板金ユニット５００は、設置板金５１０と、弾性係止爪５２０と、設置板金５１０と弾性係止爪５２０を固定する螺子５３０で構成されている。尚、本実施例では、設置板金と弾性係止爪は別部品として説明しているが、設置板金と弾性係止爪は一体の部品としても良い。
【００３０】
また、設置板金５１０には不図示の前記本体４１０を係止する第１の掛かり部５１０ａと、不図示の前記ストラップ３００を引掛けるスリット５１０ｂが形成されている。ここで、第１の掛かり部５１０ａの円中心からスリット５１０ｂまでの距離Ｌ３と定義する。Ｌ３は、図３にあるストラップの長さＬ２と略等しくなるように構成されている。
【００３１】
図１４は、ボトムケース底面の説明図である。図１４（ａ）に示すように、ボトムケース４１２の底面には、係止穴４１２ａと、不図示の前記ストラップ３００を固定するストラップ固定穴４１２ｃが形成されている。図１４（ｂ）は、係止穴の断面図を示す。係止穴４１２ａには、不図示の前記設置板金ユニット５００の弾性係止爪５２０が掛かる第２の掛かり部４１２ｂが形成されている。
【００３２】
（２）撮像装置の設置作業に関する説明
設置板金ユニット固定作業は、実施例１と重複するため割愛する。
【００３３】
図１５は、ストラップ固定作業の説明図である。不図示の前記設置板金５１０を係止する係止凸部となる段付き螺子６００を、ボトムケース４１２に形成されたストラップ固定穴４１２ｃと、ストラップ３００に形成された貫通穴３００ｂに挿通させることにより、ストラップ３００は本体４１０に固定される。
【００３４】
ストラップを設置板金ユニットへ引掛ける作業は、実施例１と重複するため割愛する。
【００３５】
以下、第１の掛かり部の断面図を用いて、図１６、図１７を説明する。図１６は、段付き螺子を第１の掛かり部に挿入する作業を説明する図である。ボトムケース４１２に締結された段付き螺子６００の位相と、設置板金５１０に形成された第１の掛かり部５１０ａの位相が合うように、本体５１０を移動させる。その際に、ストラップ３００を弛むことなく伸ばし、ストラップ３００を固定している段付き螺子６００を中心に、図中Ｄ２方向に本体４１０を傾斜させると、段付き螺子６００と第１の掛かり部５１０ａを目視で確認することが可能になるので、容易に位相を合わせることができる。また、本体４１０と設置板金ユニット５００の位置を合わせた際に、ボトムケース４１２のストラップ固定穴４１２ｃは、第１の掛かり部５１０ａの近傍となるように形成されている。前述したようにＬ２とＬ３は略等しい長さのため、本体４１０を設置面に対して略垂直方向に移動させるだけで、段付き螺子６００を、第１の掛かり部５１０ａに挿入可能となる。
【００３６】
図１７は、第１の掛かり部の断面図であり、段付き螺子を第１の掛かり部に引掛ける作業の説明図である。本体４１０を図中Ｖ２方向に移動させ、段付き螺子６００の先端を、第１の掛かり部５１０ａに引掛けることで、本体４１０を設置板金ユニット５００に係止する。
【００３７】
第２の弾性係止爪を第２の掛かり部に挿入する作業は、実施例１と重複するため割愛する。
【００３８】
以上述べたように、本発明によれば、係止凸部と弾性係止爪を別動作で掛かり部に挿入できるため、カメラ本体を設置面に対して傾斜させることが可能となり、係止凸部と第１の掛かり部を目視で確認することが可能になる。更にストラップが位置ガイドとして機能するため、係止凸部と第１の掛かり部の位置合わせを容易に行うことが可能になる。また、係止凸部が第１の掛かり部に、更に弾性係止爪が第２の掛かり部に係止することで、カメラ本体が設置板金に仮保持されるため、設置板金に対してネットワークカメラを螺子等の締結手段で固定する設置作業は、両手を自由に使える状態で行うことが可能となる。
【００３９】
また、仮保持の際に設置面に対して本体を回転させる必要がないため、設置面の配線穴を小さくできる、といった効果を得ることができる。また、ストラップを固定する螺子と、係止凸部を共通化したことにより、設置板金に係止凸部を形成する必要がないため、部品の材料取りを小さくできる、といった効果を得ることができる。
【符号の説明】
【００４０】
１００：撮像装置
１１０：本体
１１１：アッパケース
１１２：ボトムケース
１１２ａ：貫通穴
１１２ｂ：係止穴
１１２ｃ：第１の掛かり部
１１２ｄ：係止穴
１１２ｅ：第２の掛かり部
１１２ｆ：ストラップ固定穴
１１３：螺子
１２０：撮像部
１３０：配線引出口
１４０：配線
１５０：設置面
１５０ａ：配線穴
１６０：設置面
１６０ａ：配線穴
２００：設置板金ユニット
２１０：設置板金
２１０ａ：係止凸部
２１０ｂ：スリット
２１０ｃ：貫通穴
２２０：弾性係止爪
２３０：螺子
２４０：螺子
３００：ストラップ
３００ａ：ループ端
３００ｂ：貫通穴
３１０：螺子
４００：撮像装置
４１０：本体
４１１：アッパケース
４１２：ボトムケース
４１２ａ：係止穴
４１２ｂ：第２の掛かり部
４１２ｃ：ストラップ固定穴
５００：設置板金ユニット
５１０：設置板金
５１０ａ：第１の掛かり部
５１０ｂ：スリット
５２０：弾性係止爪
５３０：螺子
６００：段付き螺子
７００：カメラ本体
７０１ａ：回転前の配線引出口
７０１ｂ：回転後の配線引出口
７０２：配線穴
【図１】
2019148634.tif 000003
【図２】
2019148634.tif 000004
【図３】
2019148634.tif 000005
【図４】
2019148634.tif 000006
【図５】
2019148634.tif 000007
【図６】
2019148634.tif 000008
【図７】
2019148634.tif 000009
【図８】
2019148634.tif 000010
【図９】
2019148634.tif 000011
【図１０】
2019148634.tif 000012
【図１１】
2019148634.tif 000013
【図１２】
2019148634.tif 000014
【図１３】
2019148634.tif 000015
【図１４】
2019148634.tif 000016
【図１５】
2019148634.tif 000017
【図１６】
2019148634.tif 000018
【図１７】
2019148634.tif 000019
【図１８】
2019148634.tif 000020